(57)【要約】【課題】シーク時のエラーを防止することのできるディスク再生装置を提供する。【解決手段】ＤＶＤ及びＣＤに記録されたデジタルオーディオ信号を再生するディスク再生装置において、デジタルオーディオ信号に同期した同期信号を出力するＰＬＬ部６を備え、ＣＤを２倍速以上で倍速再生した時に、ＰＬＬ部６はトラックのシーク中にゲインを増加させるとともにシークの終了後所定時間経過後にゲインを元に戻すようにした。【選択図】      図２
2004342266.tif 000002
【特許請求の範囲】
【請求項１】
ＤＶＤ及びＣＤに記録されたデジタルオーディオ信号を再生するディスク再生装置において、デジタルオーディオ信号に同期した同期信号を出力するＰＬＬを備え、ＣＤを２倍速以上で倍速再生した時に、前記ＰＬＬはトラックのシーク中にゲインを増加させるとともにシークの終了後所定時間経過後にゲインを元に戻すことを特徴とするディスク再生装置。
【請求項２】
ディスクに記録されたデジタルオーディオ信号を再生するディスク再生装置において、デジタルオーディオ信号に同期した同期信号を出力するＰＬＬを備え、前記ＰＬＬはトラックのシーク中にゲインを増加させるとともにシークの終了後所定時間経過後にゲインを元に戻すことを特徴とするディスク再生装置。
【請求項３】
ＣＤから成るディスクを２倍速以上で倍速再生した際に、前記ＰＬＬはトラックのシーク中にゲインを増加させるとともにシークの終了後所定時間経過後にゲインを元に戻すことを特徴とする請求項２に記載のディスク再生装置。
【発明の詳細な説明】
【０００１】
【発明の属する技術分野】
本発明は、ＤＶＤやＣＤ等のディスクを再生するディスク再生装置に関し、特にディスクに記録されたデジタルオーディオ信号の同期信号を生成するＰＬＬを備えたディスク再生装置に関する。
【０００２】
【従来の技術】
従来のディスク再生装置は特許文献１に開示されている。このディスク再生装置はデジタルオーディオ信号に同期した同期信号を出力するＰＬＬ（Ｐｈａｓｅ  Ｌｏｃｋｅｄ  Ｌｏｏｐ）を備えている。ＰＬＬは位相検出器、ＶＣＯ（電圧制御発振器）及びＬＰＦを有し、ＶＣＯ等や回路のループを制御することで正確に発信することができる。
【０００３】
また、カウンタを組み込むことで入力信号の整数倍の周波数で信号を出力することができる。これにより、ＣＤを通常の回転速度よりも速い例えば２倍速で倍速再生して信号処理時間を短縮できるようになっている。また、ディスク再生装置はディスクに同心円上に記録されるトラックをジャンプして所望のトラックを検出するシーク機能を有している。
【０００４】
【特許文献１】
特開平８−３２９６０４号公報（第２頁〜第４頁、第３図）
【０００５】
【発明が解決しようとする課題】
しかしながら、上記従来のディスク再生装置によると、倍速再生を行うとディスクの回転数が大きく同期信号の周波数が高いためトラックの検出精度が低下する。このため、トラッキングを停止してシークを行うと、シーク終了時にトラック位置の検知に時間がかかり所定時間内に所望のトラックを検出できないエラーが発生する問題があった。
【０００６】
本発明は、シーク時のエラーを防止することのできるディスク再生装置を提供することを目的とする。
【０００７】
【課題を解決するための手段】
上記目的を達成するために本発明は、ＤＶＤ及びＣＤに記録されたデジタルオーディオ信号を再生するディスク再生装置において、デジタルオーディオ信号に同期した同期信号を出力するＰＬＬを備え、ＣＤを２倍速以上で倍速再生した時に、前記ＰＬＬはトラックのシーク中にゲインを増加させるとともにシークの終了後所定時間経過後にゲインを元に戻すことを特徴としている。
【０００８】
この構成によると、ＰＬＬから出力される同期信号によりＣＤから成るディスクの同期が取られてデジタルオーディオ信号が２倍速以上で倍速再生される。ディスクの同心円状に形成されるトラックのトラッキングを停止してシークを開始すると、ＰＬＬのゲインが増加される。所定位置へのシークが終了するとトラッキングが開始され所望のトラックが検出される。そして、シーク終了から例えば１００ｍｓｅｃ経過後にＰＬＬのゲインが元に戻される。
【０００９】
また本発明は、ディスクに記録されたデジタルオーディオ信号を再生するディスク再生装置において、デジタルオーディオ信号に同期した同期信号を出力するＰＬＬを備え、前記ＰＬＬはトラックのシーク中にゲインを増加させるとともにシークの終了後所定時間経過後にゲインを元に戻すことを特徴としている。
【００１０】
また本発明は、上記構成のディスク再生装置において、ＣＤから成るディスクの再生倍速を２倍速以上にした際に、前記ＰＬＬはトラックのシーク中にゲインを増加させるとともにシークの終了後所定時間経過後にゲインを元に戻すことを特徴としている。
【００１１】
【発明の実施の形態】
以下に本発明の実施形態を図面を参照して説明する。図１は一実施形態のディスク再生装置の信号処理回路を示すブロック図である。ディスク再生装置は光ピックアップ（不図示）を備え、光ピックアップに設けられた光源からＤＶＤ及びＣＤから成るディスクに光が照射される。
【００１２】
ディスクには同心円状にトラックが形成され、ディスクの反射光によってトラックに記録された信号が取り出される。ディスクの反射光は光ピックアップに設けられた受光素子で捉えられ、アナログ信号に光電変換される。受光素子から出力されるアナログ信号にはウォブル信号及びオーディオ信号が含まれる。
【００１３】
ウォブル信号及びオーディオ信号は信号処理回路１に入力される。信号処理回路１はＡ／Ｄコンバータ２、ウォブルフィルタ３、ベースライン４、ＰＲＭＬ部５、ＰＬＬ部６を有している。
【００１４】
Ａ／Ｄコンバータ２はアナログ信号をデジタル信号に変換する。ウォブルフィルタ３はウォブル信号のノイズ成分を除去する。ＰＲＭＬ部５はＬＭＳ７、ＦＩＲフィルタ８、ビタビ検出器９から成り、ベースライン４を介して入力されたデジタルオーディオ信号の誤り訂正を行う。これによりＰＲＭＬ部５からデジタルオーディオ信号が出力される。
【００１５】
ＰＬＬ部６は位相比較器１０、ループフィルタ１１、Ｄ／Ａコンバータ１２、ＶＣＯ１３、１／Ｎ分周器１４、クロック制御部１５から成っている。位相比較器１０はウォブル信号とデジタルオーディオ信号との位相を比較して比較結果を出力する。ループフィルタ１１は位相比較器１０から入力された比較結果の信号のノイズ成分を除去する。
【００１６】
Ｄ／Ａコンバータ１２はループフィルタ１１の出力信号をＤ／Ａ変換する。ＶＣＯ１３は位相比較器１０の比較結果に基づいて電源（不図示）からの電圧を制御して同期信号を１／Ｎ分周器１４に出力する。１／Ｎ分周器１４は入力された同期信号を１／３６０に分周して出力する。クロック制御部１５は１／Ｎ分周器１４から出力される同期信号をＡ／Ｄコンバータ２に供給する。これにより、ディスクの回転と、ディスクから読み取られるデジタルオーディオ信号との同期が取られる。
【００１７】
また、ＣＤの再生時には通常の回転速度よりも速い例えば２倍速や２．２倍速で倍速再生して信号処理時間を短縮し、他の複雑な信号処理が可能になっている。
【００１８】
上記構成のディスク再生装置において、ＣＤの倍速再生時に複数のトラックをジャンプするシークを指示すると、図２に示すシーク処理が行われる。シークが開始されるとトラッキングが停止され、ステップ＃１１で図３（ａ）に示すように光ピックアップの移動モータに駆動信号が入力される。これにより、光ピックアップの移動が開始される（図３のＴ０）。
【００１９】
ステップ＃１２では図３（ｂ）に示すようにＰＬＬ部６のゲインが増加される。これにより、Ｄ／Ａコンバータ１２の入力信号が増幅され、図３（ｃ）に示すようにＰＬＬ部６から出力される同期信号の立ち上がりが急峻になる。ステップ＃１３では光ピックアップが継続され、指定されたシークの距離だけ移動するとステップ＃１４に移行して光ピックアップの移動が停止される（図３のＴ１）。
【００２０】
ステップ＃１５ではタイマーがスタートされ、ステップ＃１６ではＣＤのトラッキング及びフォーカシングが行われる。これにより、ＣＤの再生が可能になる。ステップ＃１７ではタイマーのスタートから１００ｍｓｅｃが経過するまで待機する。１００ｍｓｅｃが経過するとステップ＃１８でタイマーが停止され、ステップ＃１９でＰＬＬ部６のゲインが元に戻される（図３のＴ２）。
【００２１】
本実施形態によると、シーク終了後に所定期間ＰＬＬ部６のゲインが高い状態を維持するので、シーク終了後の同期信号の立ち上がりが急峻でトラッキングエラーを防止することができる。また、ＰＬＬ部６のゲインが高い状態ではディスクの傷を捉えやすくなる。しかしながら、シーク終了後所定期間経過後にＰＬＬ部６のゲインを元に戻すのでディスクの傷の検出によるエラーレートの増加を抑制することができる。
【００２２】
尚、シーク開始時にＰＬＬ部６のゲインを増加させているが、時間や光ピックアップの移動距離の検知によってシーク終了直前にＰＬＬ部６のゲインを増加させてもよい。また、高速回転するＤＶＤのシーク時にＰＬＬ部６のゲインを増加させてもよい。
【００２３】
【発明の効果】
本発明によると、シーク終了後に所定期間ＰＬＬのゲインが高い状態を維持するので、シーク終了後の同期信号の立ち上がりが急峻でトラッキングエラーを防止することができる。また、シーク終了後所定期間経過後にＰＬＬのゲインを元に戻すのでディスクの傷の検出によるエラーレートの増加を抑制することができる。
【図面の簡単な説明】
【図１】は、本発明の実施形態のディスク再生装置の信号処理回路を示すブロック図である。
【図２】は、本発明の実施形態のディスク再生装置のシーク処理の動作を示すフローチャートである。
【図３】は、本発明の実施形態のディスク再生装置のシーク処理の動作を示すタイムチャートである。
【符号の説明】
１    信号処理回路
２    Ａ／Ｄコンバータ
３    ウォブルフィルタ
４    ベースライン
５    ＰＲＭＬ部
６    ＰＬＬ部
７    ＬＭＳ
８    ＦＩＲフィルタ
９    ビタビ検出器
１０    位相比較器
１１    ループフィルタ
１２    ＤＡＣ
１３    ＶＣＯ
１４    １／Ｎ分周器
１５    クロック制御部
【図１】
2004342266.tif 000003
【図２】
2004342266.tif 000004
【図３】
2004342266.tif 000005